(57)【特許請求の範囲】
【請求項１】
リール本体に装着されたスプールに釣り糸を均等に巻き付けるための両軸受リールのレベルワインド機構であって、
概ね前記スプールの回転軸に沿った方向に延び、前記リール本体に支持される第１部材と、
前記第１部材に沿って往復移動する移動体と、
前記移動体に支持され、釣り糸の通過する経路の両側に配置され前記スプールの回転軸に沿った方向への釣り糸の移動を規制する互いに釣り糸の長手方向にずれている少なくとも３つのラインガイド棒を有するラインガイド体とを備え、
前記少なくとも３つのラインガイド棒は、釣り糸を挟んで配置される前記規制部の間隔が、釣り糸を挟んで配置される前記規制部の前記スプールの回転軸に沿った方向の間隔よりも大きく、釣り糸に対して互い違いに配置されている、両軸受リールのレベルワインド機構。
【請求項２】
前記各ラインガイド棒間の距離は、使用される釣り糸の糸径の２倍以上である、請求項１に記載の両軸受リールのレベルワインド機構。
【請求項３】
隣接する前記ラインガイド棒間の距離は、使用される釣り糸の結び目よりも大きい、請求項１に記載の両軸受リールのレベルワインド機構。
【請求項４】
隣接する前記ラインガイド棒間の前記スプールの回転軸に沿った距離は、概ね使用される釣り糸の糸径と等しい、請求項１から３のいずれかに記載の両軸受リールのレベルワインド機構。
【請求項５】
前記各ラインガイド棒は、釣り糸の長手方向に対してほぼ直交する方向に延びている、請求項１から４のいずれかに記載の両軸受リールのレベルワインド機構。
【請求項６】
リール本体に装着されたスプールに釣り糸を均等に巻き付けるための両軸受リールのレベルワインド機構であって、
概ね前記スプールの回転軸に沿った方向に延び、前記リール本体に支持される第１部材と、
前記第１部材に沿って往復移動する移動体と、
前記移動体に支持され、釣り糸の通過する経路の両側に配置され前記スプールの回転軸に沿った方向への釣り糸の移動を規制する周溝を周面に有し釣り糸に接触する回転体を有するラインガイド体とを備え、前記回転体の回転軸と前記スプールの回転軸とは所定の角度を有している、両軸受リールのレベルワインド機構。
【請求項７】
前記周溝は、その幅が、使用される釣り糸の結び目の大きさよりも広い、請求項６に記載の両軸受リールのレベルワインド機構。
【請求項８】
前記ラインガイド体の前記スプール側の後端部と前記スプールの最外周部までの釣り糸の長手方向に沿った距離が、前記スプールの直径の３３％以下である、請求項１から７のいずれかに記載の両軸受リールのレベルワインド機構。
【発明の詳細な説明】
【０００１】
【発明の属する技術分野】
本発明は、リール本体に装着されたスプールに釣り糸を均等に巻き付けるための両軸受リールのレベルワインド機構に関する。
【０００２】
【従来の技術】
両軸受リールには、一般に、釣り糸をスプールに軸方向にずらして均等に巻き付けるためのレベルワインド機構が設けられている。
【０００３】
例えば、両軸受リールでは、レベルワインド機構により、ラインガイドを含む移動体をスプールの回転に連動させてスプール軸方向に往復移動させている。この両軸受リールのレベルワインド機構は、スプールと平行に配置され外周面に交差する螺旋溝が形成された螺軸と、螺軸に係合する係合部を有しラインガイドが装着された移動体と、螺軸をスプール又はマスターギアに連動して回転させる回転伝達機構とを有している。
【０００４】
【発明が解決しようとする課題】
上記のようなレベルワインド機構によって釣り糸の巻方を密にする、すなわち釣り糸を均等に巻き付けるためには、ラインガイドに設けられる糸案内部の幅（スプール軸方向に沿った方向の長さ）を極力狭める必要がある。糸案内部の幅が広いと、糸案内部において釣り糸が左右に移動し、糸巻き形状が崩れる。
【０００５】
一方、糸案内部の幅を狭めると、例えば釣り糸の結び目等、局部的に大きくなっている部分が糸案内部に引っかかり、糸の送り出し及び巻き取りがスムーズに行えなくなる。
【０００６】
本発明の課題は、釣り糸の送り出し及び巻き取りをスムーズに行うことができ、且つ、スプールに対する釣り糸の巻方の均等さが向上するレベルワインド機構を提供することにある。
【０００７】
【課題を解決するための手段】
発明１に係る両軸受リールのレベルワインド機構は、リール本体に装着されたスプールに釣り糸を均等に巻き付けるための機構であって、第１部材と、移動体と、ラインガイド体とを備えている。第１部材は、リール本体に支持されており、概ねスプールの回転軸に沿った方向に延びている。移動体は、第１部材に沿って往復移動する。ラインガイド体は、移動体に支持される少なくとも３つのラインガイド棒を有している。少なくとも３つのラインガイド棒は、釣り糸の通過する経路の両側に配置され互いに釣り糸の長手方向にずれており、スプールの回転軸に沿った方向への釣り糸の移動を規制する。また、釣り糸を挟んで配置される２つのラインガイド棒の間隔は、釣り糸を挟んで配置されるラインガイド棒のスプールの回転軸に沿った方向の間隔よりも大きく、少なくとも３つのラインガイド棒は、釣り糸に対して互い違いに配置されている。
【０００８】
スプールに釣り糸を巻き付けるときに、移動体を第１部材に沿って、すなわちスプールの回転軸に沿って往復移動させることによって、スプールに対する釣り糸の巻方が均等となる。このとき、釣り糸は、移動体に支持されるラインガイド体のラインガイド棒の間を通る。そして、ここでは、釣り糸を挟んで配置されるラインガイド棒の間隔が、ラインガイド棒のスプールの回転軸に沿った方向の間隔よりも大きい。
【０００９】
もし、少なくとも３つのうち２つのラインガイド棒が釣り糸を挟んで釣り糸との長手方向に対して同じ位置にある場合には、釣り糸の結び目等が通るようにラインガイド棒間の隙間をある程度大きくしなければならず、糸巻き取り時に両ラインガイド棒間で釣り糸が左右（スプールの回転軸に沿った方向）に移動してしまう。この結果、釣り糸の巻方が荒くなってしまう。
【００１０】
ここでは、少なくとも３つのラインガイド棒を互いに釣り糸の長手方向にずらしているため、ラインガイド棒がスプールの回転軸に沿った方向に釣り糸の結び目等の寸法以上離れていなくても、ラインガイド棒間の距離が釣り糸の結び目等の寸法以上あれば、釣り糸の結び目等がラインガイド棒間をスムーズに通ることができる。すなわち、ラインガイド棒を互いに釣り糸の長手方向にずらすことにより、ラインガイド棒間のスプールの回転軸に沿った方向の寸法を小さく、あるいは０にすることができる。これにより、釣り糸を巻き取るときに両ラインガイド棒間で釣り糸が左右に移動することを抑え、スプールに対する釣り糸の巻方の均等さを向上させることができる。
【００１１】
また、スプールに釣り糸を巻き付けるときに、移動体を第１部材に沿って、すなわちスプールの回転軸に沿って往復移動させることによって、スプールに対する釣り糸の巻方が均等となる。このとき、釣り糸は、移動体に支持される３つ以上のラインガイド棒の間を通る。
【００１２】
さらに、釣り糸に対して互い違いに３つ以上のラインガイド棒が配置されているため、釣り糸のテンションが変化する際等にも釣り糸が左右に移動しにくくなる。このため、より釣り糸の巻方の均等さが向上する。
【００１３】
発明２に係る両軸受リールのレベルワインド機構は、発明１に記載の機構において、各ラインガイド棒間の距離は、使用される釣り糸の糸径の２倍以上である。ここでは、各ラインガイド棒間の距離を使用される釣り糸の糸径の２倍以上としているため、糸巻き取り時に釣り糸の結び目等の局部的に大きくなっている部分がラインガイド棒間をスムーズに通る。
【００１４】
発明３に係る両軸受リールのレベルワインド機構は、発明１に記載の機構において、隣接するラインガイド棒間の距離は、使用される釣り糸の結び目よりも大きい。ここでは、隣接するラインガイド棒間の距離が使用される釣り糸の結び目よりも大きいため、糸巻き取り時に釣り糸の結び目がラインガイド棒間をスムーズに通る。
【００１５】
発明４に係る両軸受リールのレベルワインド機構は、発明１から３のいずれかに記載の機構において、隣接するラインガイド棒間のスプールの回転軸に沿った距離は、概ね使用される釣り糸の糸径と等しい。隣接するラインガイド棒間のスプールの回転軸に沿った距離が使用される釣り糸の糸径よりも大きければ、ラインガイド棒間で釣り糸が左右に移動してしまい、釣り糸の巻方が荒くなってしまう。また、隣接するラインガイド棒間のスプールの回転軸に沿った距離が使用される釣り糸の糸径よりも小さければ、ラインガイド棒から釣り糸に力が作用する状態となり、ラインガイド棒と釣り糸との間の摩擦が大きくなって釣り糸の巻き取り及び繰り出しにおいて抵抗が大きくなる。
【００１６】
ここでは、隣接するラインガイド棒間のスプールの回転軸に沿った距離を概ね使用される釣り糸の糸径と等しく設定しているため、上記のような不具合が抑えられ、釣り糸の巻き取り及び繰り出し時の抵抗が小さくなり、且つ、釣り糸の巻方が密になる。
【００１７】
発明５に係る両軸受リールのレベルワインド機構は、発明１から４のいずれかに記載の機構において、各ラインガイド棒は、釣り糸の長手方向に対してほぼ直交する方向に延びている。
【００１８】
ここでは、ラインガイド棒が釣り糸の長手方向に対してほぼ直交する方向に延びているため、ラインガイド棒と釣り糸との接触面積が小さい。これにより、糸巻き取り時の抵抗が小さくなる。
【００１９】
発明６に係る両軸受リールのレベルワインド機構は、リール本体に装着されたスプールに釣り糸を均等に巻き付けるための機構であって、第１部材と、移動体と、ラインガイド体とを備えている。第１部材は、リール本体に支持されており、概ねスプールの回転軸に沿った方向に延びている。移動体は、第１部材に沿って往復移動する。ラインガイド体は、移動体に支持され釣り糸に接触する回転体を有している。回転体は、釣り糸の通過する経路の両側に配置され前記スプールの回転軸に沿った方向への釣り糸の移動を規制する周溝を周面に有し釣り糸に接触する。回転体の回転軸とスプールの回転軸とは所定の角度を有している。
【００２０】
スプールの釣り糸を巻き付けるときに、移動体を第１部材に沿って、すなわち概ねスプールの回転軸に沿って往復移動させることによって、スプールに対する釣り糸の巻方が均等となる。このとき、釣り糸は、移動体に支持される回転体の周溝に案内されて巻き取られていく。
【００２１】
回転体がスプールの回転軸に所定の角度を有していない場合には、周溝を通過するときに釣り糸が左右に移動してしまい、釣り糸の巻方が荒くなる。
【００２２】
ここでは、回転体が回転するため、釣り糸の巻き取り及び繰り出しがスムーズに行われる。そして、回転体の回転軸がスプールの回転軸に対して所定の角度を有しているため、釣り糸が回転体の周溝に接触しながら案内されてスプールに巻き取られる際に、釣り糸が回転体の周溝に入る位置と釣り糸が周溝から出る位置とがスプールの回転軸に沿った方向にずれてスプールの回転軸に直交する面に対して釣り糸が一時的に傾斜した状態となる。このため、糸巻き取り時のように釣り糸にテンションがかかっていると、釣り糸は周溝との接触部分から力を受けるため、周溝から釣り糸が出る位置が安定し、釣り糸が周溝を通過するときに左右に移動して巻方が荒くなる不具合が抑えられる。これにより、釣り糸を巻き取るときに周溝で釣り糸が左右に移動することが抑えられ、スプールに対する釣り糸の巻方の均等さが向上する。
【００２３】
また周溝により釣り糸の通る空間が限定され、釣り糸が周溝内で左右に移動してスプールへの釣り糸の巻き取りが荒くなることが抑えられる。また、傾斜させることにより釣り糸が通る周溝内の空間を限定する一方、結び目等が通る空間を溝内に確保することができる。
【００２４】
すなわち、釣り糸の結び目等が通り得る空間を有する周溝をスプールの回転軸に直交する面に対して傾斜させることによって、結び目等以外の通常の釣り糸の部分が周溝を通過する際に、釣り糸の通る空間を周溝内の空間のうち所定の空間に限定することができる。これにより、周溝内での釣り糸の左右移動をさらに抑えさらに巻方を密にすることができる。
【００２５】
発明７に係る両軸受リールのレベルワインド機構は、発明６に記載の機構において、周溝は、その幅が、使用される釣り糸の結び目の大きさよりも広い。
【００２６】
ここでは、周溝の幅が釣り糸の結び目よりも大きいため、糸巻き取り時に釣り糸の結び目が周溝内をスムーズに通過することができる。
【００２７】
発明８に係る両軸受リールのレベルワインド機構は、発明１から７のいずれかに記載の機構において、ラインガイド体のスプール側の後端部とスプールの最外周部までの釣り糸の長手方向に沿った距離が、スプールの直径の３３％以下である。
【００２８】
ここでは、ラインガイド体とスプールに巻き取られる糸巻き面との距離が短くなるため、ラインガイド体と糸巻き面との間の釣り糸のスプールの回転軸に沿った移動（ぶれ）が少なくなり、より釣り糸の巻方の乱れが少なくなる。
【００２９】
【発明の実施の形態】
［実施形態１］
図１〜図３に本発明の一実施形態におけるレベルワインド機構７１を備えた両軸受リールを示す。
【００３０】
〔全体構成〕
図１に示す両軸受リールは、リール本体６１と、リール本体６１の側方に配置されたスプール回転用ハンドル６２と、ハンドル６２のリール本体６１側に配置されたドラグ調整用のスタードラグ６３とを主に備えている。また、リール本体６１の上部には、水深を表示するカウンタ部６４が設けられている。カウンタ部６４は、液晶ディスプレイからなる表示部６５と、３つのボタンからなる操作キー部６６とを有している。
【００３１】
リール本体６１は、左右１対の第１側板６７ａ及び第２側板６７ｂを有するフレーム６７と、フレーム６７の左右を覆う左右の第１側カバー６８ａ及び第２側カバー６８ｂと、フレーム６７の前部を覆う前カバー６９とを有している。そして、ハンドル６２の回転軸（ハンドル軸）が図１における右側の第２側カバー６８ｂに回転自在に支持されている。
【００３２】
１対の側板６７ａ，６７ｂの間にはスプール７０が回転自在に配置されており、スプール７０の前方には、図２に示すように、スプール７０に釣り糸を均一に巻くためのレベルワインド機構７１が、スプール７０の後方にはサムレストを兼ねるクラッチレバー７２の操作部７２ａがそれぞれ配置されている。クラッチレバー７２は、所定の範囲で、すなわちクラッチオン位置（上方位置）とクラッチオフ位置（下方位置）との間で上下動が可能であり、後述するクラッチ機構をオフするためのものである。また、クラッチレバー７２に対向するようにサムレスト７３が設けられている。このサムレスト７３はリール本体６１のフレーム６７に固定されている。さらに、第２側板６７ｂの上部には、所定の範囲でクラッチレバー７２と同方向に、すなわち上下あるいは前後方向に移動可能なように戻しレバー７４の操作部７４ａが設けられている。この戻しレバー７４はクラッチレバー７２をクラッチオン位置に戻すためのものである。
【００３３】
なお、スプール７０はスプール軸７５に固定されており、このスプール軸７５が軸受によりフレーム６７に回転自在に支持されている。スプール７０は、筒状の糸巻胴部７０ａと糸巻胴部７０ａの両端から実質的に垂直に拡がるフランジ部７０ｂとを有している。そして、スプール軸７５のハンドル６２側の端部には、キャスティングコントロール用の調整つまみ７６が設けられている。
【００３４】
第２側板６７ｂの外側で第２側カバー６８ｂ内には、図２に示すように、ハンドル６２からの回転力をスプール７０に伝えるための第１回転伝達機構８０と、第１回転伝達機構８０内に設けられたクラッチ機構８１とが設けられている。第１回転伝達機構８０は、一端にハンドル６２が固定されたハンドル軸９０と、ハンドル軸９０の周囲に設けられたドラグ機構９１と、ハンドル軸９０の他端にドラグ機構９１を介して連結されたメインギア９２と、メインギア９２に噛み合うピニオンギア９３とを有している。
【００３５】
ハンドル軸９０は、スプール軸７５と平行に配置されており、一端側が軸受を介して第２側板６７ｂに回転自在に支持されている。メインギア９２は、ハンドル軸９０の一端側にドラグ機構９１を介して相対回転不能に連結することが可能である。ピニオンギア９３は、筒状に形成されており、スプール軸７５の外周部にスライド自在に装着されている。ピニオンギア９３のスプール側の端部には係合溝が形成されており、この溝に、スプール軸７５に形成された係合部が係合可能である。すなわち、ピニオンギア９３の係合溝とスプール軸７５の係合部とが係合している場合（図２に示す状態）はクラッチはオン状態である。一方、ピニオンギア９３が図２に示す位置から右方に移動させられた場合は、ピニオンギア９３の係合溝とスプール軸７５の係合部との係合が外れ、クラッチオフ状態となる。
【００３６】
以上から明らかなように、ピニオンギア９３の係合溝とスプール軸７５の係合部とによってクラッチ機構８１が構成されている。そして、クラッチ機構８１がオン状態の場合はハンドル６２の回転がスプール７０に伝達され、クラッチ機構８１がオフ状態の場合はハンドル６２とは無関係にスプール７０は自由に回転することが可能である。このクラッチ機構８１は、クラッチレバー７２及び戻しレバー７４によりオンオフされる。
【００３７】
〔レベルワインド機構の構成〕
レベルワインド機構７１は、スプール７０の前方に配置された移動体７８をスプール７０の回転軸Ｏ１−Ｏ１に沿った方向に移動させるための機構である。レベルワインド機構７１は、図２及び図３に示すように、移動体７８を往復移動させるための移動機構８２と、スプール７０の一回転当たり所定の移動量で移動体７８を移動させるようにスプール７０の回転を移動機構８２に伝達する第２回転伝達機構８３とを備えている。
【００３８】
移動機構８２は、スプール軸７５の前方に配置された螺軸（第１部材）８４と、螺軸８４に沿って移動する移動体７８と、移動体７８を案内するガイド筒８５とを有している。螺軸８４は、スプール軸７５と平行に配置されており、両側板６７ａ，６７ｂに回転自在に支持されている。また、螺軸８４の外周部には螺旋状の交差する溝８４ａが形成されている。
【００３９】
移動体７８は、図３に示すように、ガイド本体８６と、ガイド本体８６の下部に螺軸８４と直交するように配置された係合部材８７と、ガイド本体８６の上部に配置されたラインガイド棒１１〜１３とを有している。
【００４０】
ガイド本体８６の中央部には螺軸８４が貫通し、かつその周囲にガイド筒８５が貫通している。ガイド筒８５は、下部が開口したＵ字状の筒状体であり、側板６７ａ，６７ｂ間に螺軸８４を中心で囲むように配置されている。係合部材８７の上端は螺軸８４の溝８４ａに係合している。
【００４１】
ラインガイド棒１１〜１３は、図３及び図４に示すように、ガイド本体８６から糸繰り出し方向（図３の左右方向）に直交する方向（図３の上下方向）に延びている。これらのラインガイド棒１１〜１３は、互いに釣り糸Ｌの長手方向に沿った方向（図４の上下方向）にずれて配置されている。また、ラインガイド棒１１〜１３は、釣り糸Ｌに対して左右に互い違いに配置されている。
【００４２】
ラインガイド棒１１とラインガイド棒１２との距離、及びラインガイド棒１２とラインガイド棒１３との距離は、釣り糸Ｌの糸径Ｄ１の２倍以上に設定されている。また、このラインガイド棒１１とラインガイド棒１２との距離、及びラインガイド棒１２とラインガイド棒１３との距離は、図５に示すように、釣り糸Ｌの結び目Ｌｍよりも大きい。さらに、ラインガイド棒１１とラインガイド棒１２とのスプール７０の回転軸Ｏ１−Ｏ１に沿った距離（図４の左右方向の距離）、及びラインガイド棒１２とラインガイド棒１３とのスプール７０の回転軸Ｏ１−Ｏ１に沿った距離は、釣り糸Ｌの糸径Ｄ１とほぼ等しい（図４参照）。
【００４３】
なお、釣り糸Ｌは、本実施形態の両軸受リールで使用される釣り糸のうち糸径の最も大きいものである。また、ラインガイド棒１１〜１３の上端面は、平板１４に接合されている。第２回転伝達機構８３は、第１側カバー６８ａ内部に移動機構８２を駆動するために設けられている。第２回転伝達機構８３は、スプール軸７５の他端に固定された第１ギア９５と、第１側板６７ａに回転自在に装着され第１ギア９５に噛み合う中間ギア９６と、レベルワインド機構７１の一端に固定され中間ギア９６に噛み合う第２ギア９７とを有している。中間ギア９６は軸方向に並べて配置された大小２つのギア部を有しており、中間ギア９６の大ギア部が第１ギア９５に噛み合い、中間ギア９６の小ギア部が第２ギア９７に噛み合っている。
【００４４】
〔リールの操作及び動作〕
この両軸受リールでは、糸繰り出し時には、クラッチレバー７２を下方に押してクラッチ機構８１をオフしスプール７０を自由回転させる。すると仕掛けの自重によりスプール７０から釣り糸が繰り出されるとともに、表示部６５の水深表示が繰り出し量に応じて増加する。そして、所定の水深に仕掛けが到達したことを表示部６５の表示により確認すると、戻しレバー７４の操作又はハンドル６２の糸巻き取り方向への操作によりクラッチ機構８１をオンする。これによりスプール７０の回転が停止しスプール７０からの釣り糸の繰り出しが止まる。この糸繰り出し時には、スプール７０の回転が第２回転伝達機構８３を介してレベルワインド機構７１に伝達され、移動体７８がスプール７０に沿って往復移動する。
【００４５】
釣り糸の巻き取り時には、クラッチ機構８１がオンした状態でハンドル６２を糸巻き取り方向に回転させると、この回転力はハンドル軸９０及びメインギア９２を介してピニオンギア９３に伝達され、スプール軸７５が回転してスプール７０が糸巻き取り方向に回転する。
【００４６】
一方、スプール軸７５が回転すると、第１ギア９５、中間ギア９６、第２ギア９７を介してスプール軸７５の回転が螺軸８４に伝達され、螺軸８４が回転する。この結果、螺軸８４の溝８４ａに噛み合う移動体７８がガイド筒８５に案内されてスプール軸方向に移動する。そして、ラインガイド棒１１〜１３により案内された釣り糸は、スプール７０の一回転に対して少しずつずれてスプール７０に巻き付けられる。
【００４７】
本実施形態では、ラインガイド棒１１〜１３を前後方向にずらして配置しているため、ラインガイド棒１１〜１３が左右方向に釣り糸Ｌの結び目Ｌｍの大きさ以下しか離れていないにもかかわらず、ラインガイド棒１１，１２間及びラインガイド棒１２，１３間の距離が釣り糸Ｌの結び目Ｌｍの大きさ以上離れている。
【００４８】
これにより、図４に示すように、通常の釣り糸Ｌの部分（結び目Ｌｍ以外の部分）がラインガイド棒１１〜１３間を通るときに釣り糸Ｌが左右に移動することが少なくなっている。このため、スプール７０への釣り糸の巻方が密となる。
【００４９】
一方、釣り糸Ｌの結び目Ｌｍがラインガイド棒１１〜１３間に来ると、図５に示すように、結び目Ｌｍは、ラインガイド棒１１，１２間及びラインガイド棒１２，１３間を斜めに通過する。このとき、ラインガイド棒１１，１２間及びラインガイド棒１２，１３間の距離が釣り糸Ｌの結び目Ｌｍの大きさ以上離れているため、結び目Ｌｍはラインガイド棒１１〜１３に引っかかりにくい。すなわち、釣り糸がスムーズに巻き取られる。
【００５０】
また、釣り糸に対して互い違いに３つのラインガイド棒１１〜１３が配置されているため、釣り糸のテンションが変化しても釣り糸が左右に移動しにくい。
【００５１】
また、ここではラインガイド棒１１〜１３が糸繰り出し方向に直交する方向、言い換えれば釣り糸の長手方向に直交する方向に延びているため、ラインガイド棒１１〜１３と釣り糸との接触面積が小さく、糸巻き取り時の抵抗が小さい。
【００５２】
なお、両軸受リールの形態は上記実施形態に限定されるものではなく、レバードラグ機構を有するものや、電動駆動される電動リール等のレベルワインド機構を装着したものであればどのような両軸受リールでもよい。
【００５３】
〔他の実施例〕
上記実施形態では図４に示すように配置したラインガイド棒１１〜１３によって釣り糸を案内させているが、これらの代わりに、図６に示すラインガイド棒２１〜２３によって釣り糸を案内することも可能である。
【００５４】
図６に示すラインガイド棒２１〜２３は、両軸受リールの左右方向には概ね同じ位置にあり、前後方向（釣り糸の長手方向）にはずれて配置されている。また、ラインガイド棒２１〜２３は、釣り糸Ｌに対して左右に互い違いに配置されている。
【００５５】
ラインガイド棒２１とラインガイド棒２２との距離、及びラインガイド棒２２とラインガイド棒２３との距離は、釣り糸Ｌの糸径Ｄ１の２倍以上に設定されており、釣り糸Ｌの結び目の大きさよりも大きい。ラインガイド棒２１〜２３の上端面は、平板１４に接合されている。
【００５６】
ここでも、ラインガイド棒２１〜２３を前後方向にずらして配置しているため、ラインガイド棒２１，２２間及びラインガイド棒２２，２３間の距離が釣り糸Ｌの結び目の大きさ以上離れている。これにより、結び目は、ラインガイド棒２１，２２間及びラインガイド棒２２，２３間を斜めに通過することができ、結び目がラインガイド棒２１〜２３に引っかかりにくい。
【００５７】
一方、釣り糸は、ラインガイド棒２１〜２３によって左右両側から力を受けるため、ラインガイド棒２１〜２３間を通るときに左右に移動し難い。このため、スプール７０への釣り糸の巻方が密となる。
【００５８】
［実施形態２］
図７に本発明の一実施形態におけるレベルワインド機構７１を備えた両軸受リールを示す。なお、以降の説明において実施形態１と同一又は同様な部材の符号は同一符号を付すものとする。
【００５９】
〔全体構成〕については、上記実施形態１と同様である。
【００６０】
〔レベルワインド機構の構成〕レベルワインド機構は、スプール７０の前方に配置された移動体７８をスプール軸方向に移動させるための機構である。レベルワインド機構が備える移動機構８２及び第２回転伝達機構８３は、上記実施形態１のレベルワインド機構７１が備える移動機構８２及び第２回転伝達機構８３と同様である。
【００６１】
移動体７８は、図７に示すように、ガイド本体８６と、ガイド本体８６の下部に螺軸８４と直交するように配置された係合部材８７と、ガイド本体８６の上部に配置されたラインローラ組立体（ラインガイド）１１１を有している。ガイド本体８６の中央部には螺軸８４が貫通し、かつその周囲にガイド筒８５が貫通している。ガイド筒８５は、下部が開口したＵ字状の筒状体であり、側板６７ａ，６７ｂ間に螺軸８４を中心で囲むように配置されている。係合部材８７の上端は螺軸８４の溝８４ａに係合している。
【００６２】
ラインローラ組立体１１１は、周面に釣り糸を案内する断面矩形の周溝１１２ａが形成されたラインローラ１１２と、軸受１１３ａを介してラインローラ１１２をガイド本体８６の上部に回転自在に装着するローラ支持部材１１３とから構成されている。図８に示す周溝１１２ａの溝幅は、使用される最大の釣り糸の糸径の約２倍に設定されている。ラインローラ１１２の回転軸Ｏ２−Ｏ２は、図９に示すように、スプール７０の回転軸Ｏ１−Ｏ１に平行に延びるガイド筒８５に対して傾斜を有している。すなわち、ラインローラ１１２の回転軸Ｏ２−Ｏ２とスプール７０の回転軸Ｏ１−Ｏ１とは所定の角度を有している。
【００６３】
〔リールの操作及び動作〕については、上記実施形態１と同様である。本実施形態では、ラインローラ１１２の回転軸Ｏ２−Ｏ２とスプール７０の回転軸Ｏ１−Ｏ１とに所定の角度を持たせている、すなわち、ラインローラ１１２をスプール７０の回転軸Ｏ１−Ｏ１に直交する面に対して傾斜させている。このため、釣り糸がラインローラ１１２に入る位置と釣り糸がラインローラ１１２から出る位置とがスプール軸に沿った方向（図８の左右方向）にずれる。したがって、糸巻き取り時のように釣り糸にテンションがかかっている状態においては釣り糸がラインローラ１１２との接触部分から力を受けるため、ラインローラ１１２から釣り糸が出る位置が安定する。これにより、釣り糸を巻き取るときにラインローラ１１２で釣り糸が左右に移動することが抑えられ、スプール７０に対する釣り糸の巻方の均等さが向上する。また、釣り糸がラインローラ１１２との接触部分から力を受けないときにも、周溝１１２ａにおいて釣り糸が自由に左右移動できる空間が狭くなるので、スプール７０に対する釣り糸の巻方の均等さが向上する。
【００６４】
一方、釣り糸の結び目がラインローラ１１２に入った場合にも、周溝１１２ａの溝幅が釣り糸の糸径の約２倍に設定されており結び目よりも大きいため、結び目がスムーズに通過する。これにより、糸巻き取りがスムーズとなる。また、ラインローラ１１２は回転するため、釣り糸の巻き取り及び繰り出しがスムーズに行われる。
【００６５】
【発明の効果】
本発明では、少なくとも３つのラインガイド棒を互いに釣り糸の長手方向にずらしているため、ラインガイド棒がスプールの回転軸に沿った方向に釣り糸の結び目等の寸法以上離れていなくても、ラインガイド棒間の距離が釣り糸の結び目等の寸法以上あれば、釣り糸の結び目等がラインガイド棒間をスムーズに通ることができる。すなわち、ラインガイド棒を互いに釣り糸の長手方向にずらすことにより、ラインガイド棒間のスプールの回転軸に沿った方向の寸法を小さく、あるいは０にすることができる。これにより、釣り糸を巻き取るときに両ラインガイド棒間で釣り糸が左右に移動することを抑え、スプールに対する釣り糸の巻方の均等さを向上させることができる。
【００６６】
また、スプールに釣り糸を巻き付けるときに、移動体を第１部材に沿って、すなわちスプールの回転軸に沿って往復移動させることによって、スプールに対する釣り糸の巻方が均等となる。このとき、釣り糸は、移動体に支持される３つ以上のラインガイド棒の間を通る。
【００６７】
さらに、釣り糸に対して互い違いに３つ以上のラインガイド棒が配置されているため、釣り糸のテンションが変化する際等にも釣り糸が左右に移動しにくくなる。このため、より釣り糸の巻方の均等さが向上する。
【図面の簡単な説明】
【図１】本発明の実施形態１における両軸受リールの平面図。
【図２】両軸受リールの断面平面図。
【図３】両軸受リールの断面側面図。
【図４】図３のIV−IV断面図。
【図５】釣り糸の結び目のラインガイド通過状態図。
【図６】他の実施例におけるラインガイド棒の配置図。
【図７】本発明の実施形態２における両軸受リールの断面側面図。
【図８】図７のIX矢視図。
【符号の説明】
１１〜１３，２１〜２３  ラインガイド棒
６１  リール本体
７１  レベルワインド機構
７８  移動体
８４  螺軸（第１部材）
８６  ガイド本体（ラインガイド）
１１１  ラインローラ組立体（ラインガイド）
１１２  ラインローラ（回転体）
【図１】
0003651744.tif 000002
【図２】
0003651744.tif 000003
【図３】
0003651744.tif 000004
【図４】
0003651744.tif 000005
【図５】
0003651744.tif 000006
【図６】
0003651744.tif 000007
【図７】
0003651744.tif 000008
【図８】
0003651744.tif 000009